(57)【要約】      （修正有）【課題】精度の高い情報を消費者に提供することが可能となる情報提供システムを提供する。【解決手段】情報提供システム１において、第１の情報提供者は、端末２により概要情報６ａを第１の情報提供者情報記録手段６に記録する。第２の情報提供者は、端末３Ａにより第２の情報提供者の情報７Ａａを第２の情報提供者情報記録手段７Ａに記録し、第２の情報提供者の情報７Ａａに紐付けて、詳細情報７Ａｂ及び、詳細情報７Ａｂが利用された場合の還元率の情報７Ａｃを第２の情報提供者情報記録手段７Ａに記録する。同様にして、他の第２の情報提供者も端末３Ｂ〜３Ｆにより第２の情報提供者情報記録手段７Ｂ〜７Ｆへ記録を行う。第１の情報提供者は、端末２により、サーバ４にアクセスして、記録された第２の情報提供者情報から、いずれかの情報を選択し、第１の情報提供者端末を用いて、出力対象情報６ｂを記録する。【選択図】図１
2020177664.tif 000002
【特許請求の範囲】
【請求項１】
所定の第１の情報を含み、第１の情報提供者の端末から送信された情報を、第１の情報提供者情報として記録する第１の情報提供者情報記録手段と、
前記第１の情報と対応付けられた第２の情報を含み、前記第１の情報提供者とは異なる第２の情報提供者の端末から送信された情報を、第２の情報提供者情報として記録する第２の情報提供者情報記録手段と、
前記第２の情報提供者情報記録手段に記録された前記第２の情報提供者情報のうち、前記第１の情報提供者が選択した第２の情報提供者情報である選択情報提供者情報に含まれる前記第２の情報、若しくは、前記選択情報提供者情報に含まれる前記第２の情報にアクセス可能な識別情報を出力する情報出力手段と、
前記情報出力手段が情報を出力することによって、前記第２の情報が利用された前記第２の情報提供者に対して、ポイントを付与するポイント付与手段と、を備える
情報提供システム。
【請求項２】
前記第１の情報提供者の端末から送信された特定情報であって、前記第２の情報提供者情報記録手段に記録された複数の前記第２の情報提供者情報のうち、前記選択情報提供者情報を特定するための前記特定情報を記録する特定情報記録手段を備え、
前記情報出力手段は、前記特定情報記録手段に記録された前記特定情報に基づいて出力する
請求項１に記載の情報提供システム。
【請求項３】
第１の情報提供者の端末から送信された第１の情報と対応付けられた第２の情報を含み、前記第１の情報提供者とは異なる第２の情報提供者の端末から送信された情報を、第２の情報提供者情報として記録する第２の情報提供者情報記録手段と、
前記第２の情報提供者情報記録手段に記録された前記第２の情報提供者情報のうち、前記第１の情報提供者が選択した第２の情報提供者情報である選択情報提供者情報に含まれる前記第２の情報、若しくは、前記選択情報提供者情報に含まれる前記第２の情報にアクセス可能な識別情報を出力する情報出力手段と、
前記情報出力手段が情報を出力することによって、前記第２の情報が利用された前記第２の情報提供者に対して、ポイントを付与するポイント付与手段と、を備える
情報提供システム。
【請求項４】
前記第２の情報提供者情報は、前記第２の情報が利用された場合の還元率の情報を含み、
前記ポイント付与手段は、前記選択情報提供者情報に含まれる還元率の情報に応じたポイントを付与する
請求項１、請求項２または請求項３に記載の情報提供システム。
【請求項５】
前記情報出力手段は、前記第１の情報、若しくは、前記第１の情報にアクセス可能な識別情報を出力する
請求項１、請求項２、請求項３または請求項４に記載の情報提供システム。
【請求項６】
前記第２の情報は、前記第１の情報を詳述した詳細情報である
請求項１、請求項２、請求項３、請求項４または請求項５に記載の情報提供システム。
【請求項７】
前記第２の情報は、前記第１の情報と同一内容であるべき情報である
請求項１、請求項２、請求項３、請求項４または請求項５に記載の情報提供システム。
【請求項８】
前記第１の情報及び前記第２の情報は、前記第１の情報提供者が提供する商品の品質に関する情報、若しくは、前記第１の情報提供者が提供するサービスの品質に関する情報である
請求項１、請求項２、請求項３、請求項４、請求項５、請求項６または請求項７に記載の情報提供システム。
【発明の詳細な説明】
【技術分野】
【０００１】
本発明は、情報提供システムに関する。詳しくは、消費者に精度の高い情報を提供することが可能となる情報提供システムに係るものである。
【背景技術】
【０００２】
従来、食品を中心として商品の安全性が消費者に注目されており、消費者が商品を選択する際に、消費者は商品自体や商品の原料がどの様な物であるのかという点にまで関心を示す様になっている。
【０００３】
そのため、商品の提供者は、提供する商品や商品の原料の成分や産地、製造年月日等の情報を商品の包装に貼付したラベルに記載したり、ＩＣタグに記録したりして、商品を提供している。
【０００４】
しかし、単に情報を記載や記録したものを商品に添付して提供するだけでは、その情報の改竄や偽造等が容易であり、現に情報の改竄や偽造等が行われている事実もあり、消費者に信用度が低く、消費者が安心して商品を選択することが困難であった。
【０００５】
そこで、本発明の発明者は、単に情報を記載や記録したものを食品に添付するのではなく、食品の原料を粉末にした原料粉末見本を食品に添付して食品を提供する技術を提案している（特許文献１参照）。
【先行技術文献】
【特許文献】
【０００６】
【特許文献１】特開２００９−５６５６号公報
【発明の概要】
【発明が解決しようとする課題】
【０００７】
ところで、食品を含む各種商品の品質や、各種サービスの品質は、その商品やサービスが消費者に提供されるまでの過程における様々な要因に強く影響を受けるものである。
【０００８】
そして、商品やサービスの情報が充分に消費者に伝わっていない場合には、消費者が安心して商品やサービスを選択するといった目的を実現することができない場合がある。
また、商品やサービスを選択する場合に限らず、精度の高い情報を消費者に提供することは極めて重要であるといえる。
【０００９】
本発明は、以上の点に鑑みて創案されたものであって、消費者に精度の高い情報を提供することが可能となる情報提供システムを提供することを目的とするものである。
【課題を解決するための手段】
【００１０】
上記の目的を達成するために、本発明の情報提供システムは、所定の第１の情報を含み、第１の情報提供者の端末から送信された情報を、第１の情報提供者情報として記録する第１の情報提供者情報記録手段と、前記第１の情報と対応付けられた第２の情報を含み、前記第１の情報提供者とは異なる第２の情報提供者の端末から送信された情報を、第２の情報提供者情報として記録する第２の情報提供者情報記録手段と、前記第２の情報提供者情報記録手段に記録された前記第２の情報提供者情報のうち、前記第１の情報提供者が選択した第２の情報提供者情報である選択情報提供者情報に含まれる前記第２の情報、若しくは、前記選択情報提供者情報に含まれる前記第２の情報にアクセス可能な識別情報を出力する情報出力手段と、前記情報出力手段が情報を出力することによって、前記第２の情報が利用された前記第２の情報提供者に対して、ポイントを付与するポイント付与手段と、を備える。
【００１１】
また、上記の目的を達成するために、本発明の情報提供システムは、第１の情報提供者の端末から送信された第１の情報と対応付けられた第２の情報を含み、前記第１の情報提供者とは異なる第２の情報提供者の端末から送信された情報を、第２の情報提供者情報として記録する第２の情報提供者情報記録手段と、前記第２の情報提供者情報記録手段に記録された前記第２の情報提供者情報のうち、前記第１の情報提供者が選択した第２の情報提供者情報である選択情報提供者情報に含まれる前記第２の情報、若しくは、前記選択情報提供者情報に含まれる前記第２の情報にアクセス可能な識別情報を出力する情報出力手段と、前記情報出力手段が情報を出力することによって、前記第２の情報が利用された前記第２の情報提供者に対して、ポイントを付与するポイント付与手段と、を備える。
【００１２】
ここで、第１の情報提供者情報として、第１の情報が第１の情報提供者情報記録手段に記録され、かつ、第２の情報提供者情報として、第２の情報が第２の情報提供者情報記録手段に記録されることによって、対応付けられた２つの情報（第１の情報、第２の情報）が異なる者（第１の情報提供者、第２の情報提供者）が記録することになる。そのため、情報の改竄や偽造等を抑止することができると共に、充分な量の情報の蓄積が期待できる。
【００１３】
また、情報出力手段が、選択情報提供者情報に含まれる第２の情報、若しくは、第２の情報にアクセス可能な識別情報を出力することによって、消費者は第２の情報提供者が記録した第２の情報を把握することができる。
【００１４】
更に、ポイント付与手段が第２の情報が利用された第２の情報提供者に対してポイントを付与することによって、第２の情報が利用されたいという第２の情報提供者のインセンティブを高めることができる。
【００１５】
また、ポイントを付与される対象は、第１の情報提供者が選択した第２の情報提供者情報であるために、換言すると、第１の情報提供者に選択された第２の情報提供者情報のみが利用されるために、第２の情報提供者情報が利用されたい第２の情報提供者同士での競争が生まれ、より一層、第２の情報提供者情報に含まれる第２の情報の高品質化が期待できる。なお、第１の情報提供者が選択する第２の情報提供者情報は、単数であっても複数であっても良い。
【００１６】
また、第２の情報提供者情報として、還元率の情報が第２の情報提供者情報記録手段に記録される場合には、第２の情報が利用された場合の還元率を特定することができる。
【００１７】
なお、第２の情報提供者情報は第２の情報提供者の端末から送信される情報であるために、換言すると、還元率の情報を第２の情報提供者自身が決定し、第２の情報提供者情報記録手段に記録することによって、第２の情報が利用されたい第２の情報提供者のインセンティブが高まることを期待できる。そして、こうしたインセンティブの高まりにともなって、第２の情報提供者情報に含まれる第２の情報の高品質化も期待できる。
【００１８】
また、情報出力手段が、第１の情報、若しくは、第１の情報にアクセス可能な識別情報を出力する場合には、消費者は対応付けられた２つの情報（第１の情報、第２の情報）を把握することができる。
【００１９】
また、第２の情報が、第１の情報を詳述した詳細情報である場合には、即ち、第１の情報が概要情報であり、第２の情報がその詳細情報である場合には、消費者は第２の情報提供者が記録した詳細情報を把握することができる。
【００２０】
また、第２の情報が、第１の情報と同一内容であるべき情報の場合には、同一内容であるべき情報（第１の情報、第２の情報）について、異なる者（第１の情報提供者、第２の提供者）が記録することとなり、より一層情報の改竄や偽造等を抑止することができる。
【００２１】
また、第１の情報及び第２の情報が、第１の情報提供者が提供する商品の品質に関する情報、若しくは、第１の情報提供者が提供するサービスの品質に関する情報である場合には、消費者は第１の情報提供者が提供する商品やサービスの品質を理解することができる。
【００２２】
ところで、ここでの「所定の商品」とは、食品も含む。また、「所定の商品」は、一次産品である場合と二次産品である場合の双方を含む。
【００２３】
また、ここでの「所定のサービス」とは、顧客のためになされる種々の奉仕や、他人のために尽力すること、を意味し、有償であるか無償であるかは問わない。
【００２４】
また、ここでの「第２の情報にアクセス可能な識別情報」とは、例えば、通信回線を介して「第２の情報」が掲載されたウェブサイトにアクセスすることができる二次元バーコードやカラーコード等の識別子を意味する。
同様に、「第１の情報にアクセス可能な識別情報」とは、例えば、通信回線を介して「第１の情報」が掲載されたウェブサイトにアクセスすることができる二次元バーコードやカラーコード等の識別子を意味する。
【００２５】
更に、ここでの「ポイント」とは、景品や商品と交換したり、値引きしたり、次回以降の購入代金の一部に充当したりすることができる点数を意味し、換金できる点数、換金できない点数、のいずれも含むものである。
【発明の効果】
【００２６】
本発明の情報提供システムでは、情報の改竄や偽造等を抑止することができると共に、充分な量の情報の蓄積が期待できるために、消費者に精度の高い情報を提供することが可能となる。
【図面の簡単な説明】
【００２７】
【図１】本発明の情報提供システムの構成例の一例を説明するための模式図である。
【図２】本発明の情報提供システムの使用方法の一例を示す概略図である。
【発明を実施するための形態】
【００２８】
以下、本発明を実施するための形態（以下、「実施の形態」と称する）について説明を行う。
【００２９】
図１は、本発明の情報提供システムの構成例の一例を説明するための模式図である。
図１で示す情報提供システム１は、第１の情報提供者が利用する第１の情報提供者端末２と、第２の情報提供者が利用する第２の情報提供者端末３（３Ａ，３Ｂ，３Ｃ，３Ｄ，３Ｅ，３Ｆ）と、サーバ４とで構成される。
【００３０】
また、第１の情報提供者端末２、及び、第２の情報提供者端末３は、インターネット５を介してサーバ４とやり取り可能に構成される。
【００３１】
また、サーバ４は、第１の情報提供者端末２から送信された第１の情報提供者情報を記録する第１の情報提供者情報記録手段６を有する。
【００３２】
更に、第１の情報提供者情報記録手段６は、少なくとも、所定の概要情報６ａと、出力する第２の情報提供者情報を特定するための出力対象情報６ｂを記録可能に構成されている。
【００３３】
ここで、概要情報６ａに紐付けて出力対象情報６ｂが記録される。なお、複数の概要情報６ａが記録される場合（即ち、概要情報６ａに加えて、概要情報６ａとは別の概要情報も記録される場合）には、それぞれの概要情報に対応した出力対象情報が記録される。
【００３４】
また、サーバ４は、第２の情報提供者が利用する第２の情報提供者端末３Ａから送信された第２の情報提供者情報Ａを記録する第２の情報提供者情報記録手段７Ａと、第２の情報提供者が利用する第２の情報提供者端末３Ｂから送信された第２の情報提供者情報Ｂを記録する第２の情報提供者情報記録手段７Ｂと、第２の情報提供者が利用する第２の情報提供者端末３Ｃから送信された第２の情報提供者情報Ｃを記録する第２の情報提供者情報記録手段７Ｃと、第２の情報提供者が利用する第２の情報提供者端末３Ｄから送信された第２の情報提供者情報Ｄを記録する第２の情報提供者情報記録手段７Ｄと、第２の情報提供者が利用する第２の情報提供者端末３Ｅから送信された第２の情報提供者情報Ｅを記録する第２の情報提供者情報記録手段７Ｅと、第２の情報提供者が利用する第２の情報提供者端末３Ｆから送信された第２の情報提供者情報Ｆを記録する第２の情報提供者情報記録手段７Ｆを有する。
【００３５】
また、第２の情報提供者情報記録手段７Ａは、少なくとも、第２の情報提供者端末３Ａを利用する第２の情報提供者の情報７Ａａと、概要情報６ａに対応する詳細情報７Ａｂと、詳細情報７Ａｂが利用された場合の還元率の情報７Ａｃと、保有するポイントの情報７Ａｄを記録可能に構成されている。
【００３６】
ここで、「詳細情報７Ａｂ」は、概要情報６ａを詳述したものであり、例えば、概要情報６ａが記事タイトルで、詳細情報７Ａｂが記事内容といった具合である。
【００３７】
更に、第２の情報提供者の情報７Ａａに紐付けて、詳細情報７Ａｂと、還元率の情報７Ａｃと、ポイントの情報７Ａｄが記録される。また、詳細情報７Ａｂと紐付けて、還元率の情報７Ａｃが記録される。なお、複数の詳細情報７Ａｂが記録される場合（即ち、詳細情報７Ａｂに加えて、詳細情報７Ａｂとは別の詳細情報も記録される場合）には、それぞれの詳細情報に対応した還元率の情報が記録される。
【００３８】
同様に、第２の情報提供者情報記録手段７Ｂは、少なくとも、第２の情報提供者端末３Ｂを利用する第２の情報提供者の情報７Ｂａと、概要情報６ａに対応する詳細情報７Ｂｂと、詳細情報７Ｂｂが利用された場合の還元率の情報７Ｂｃと、保有するポイントの情報７Ｂｄを記録可能に構成されている。
【００３９】
ここで、「詳細情報７Ｂｂ」は、概要情報６ａを詳述したものであり、例えば、概要情報６ａが記事タイトルで、詳細情報７Ｂｂが記事内容といった具合である。
【００４０】
更に、第２の情報提供者の情報７Ｂａに紐付けて、詳細情報７Ｂｂと、還元率の情報７Ｂｃと、ポイントの情報７Ｂｄが記録される。また、詳細情報７Ｂｂと紐付けて、還元率の情報７Ｂｃが記録される。なお、複数の詳細情報７Ｂｂが記録される場合（即ち、詳細情報７Ｂｂに加えて、詳細情報７Ｂｂとは別の詳細情報も記録される場合）には、それぞれの詳細情報に対応した還元率の情報が記録される。
【００４１】
同様に、第２の情報提供者情報記録手段７Ｃは、少なくとも、第２の情報提供者端末３Ｃを利用する第２の情報提供者の情報７Ｃａと、概要情報６ａに対応する詳細情報７Ｃｂと、詳細情報７Ｃｂが利用された場合の還元率の情報７Ｃｃと、保有するポイントの情報７Ｃｄを記録可能に構成されている。
【００４２】
ここで、「詳細情報７Ｃｂ」は、概要情報６ａを詳述したものであり、例えば、概要情報６ａが記事タイトルで、詳細情報７Ｃｂが記事内容といった具合である。
【００４３】
更に、第２の情報提供者の情報７Ｃａに紐付けて、詳細情報７Ｃｂと、還元率の情報７Ｃｃと、ポイントの情報７Ｃｄが記録される。また、詳細情報７Ｃｂと紐付けて、還元率の情報７Ｃｃが記録される。なお、複数の詳細情報７Ｃｂが記録される場合（即ち、詳細情報７Ｃｂに加えて、詳細情報７Ｃｂとは別の詳細情報も記録される場合）には、それぞれの詳細情報に対応した還元率の情報が記録される。
【００４４】
同様に、第２の情報提供者情報記録手段７Ｄは、少なくとも、第２の情報提供者端末３Ｄを利用する第２の情報提供者の情報７Ｄａと、概要情報６ａに対応する詳細情報７Ｄｂと、詳細情報７Ｄｂが利用された場合の還元率の情報７Ｄｃと、保有するポイントの情報７Ｄｄを記録可能に構成されている。
【００４５】
ここで、「詳細情報７Ｄｂ」は、概要情報６ａを詳述したものであり、例えば、概要情報６ａが記事タイトルで、詳細情報７Ｄｂが記事内容といった具合である。
【００４６】
更に、第２の情報提供者の情報７Ｄａに紐付けて、詳細情報７Ｄｂと、還元率の情報７Ｄｃと、ポイントの情報７Ｄｄが記録される。また、詳細情報７Ｄｂと紐付けて、還元率の情報７Ｄｃが記録される。なお、複数の詳細情報７Ｄｂが記録される場合（即ち、詳細情報７Ｄｂに加えて、詳細情報７Ｄｂとは別の詳細情報も記録される場合）には、それぞれの詳細情報に対応した還元率の情報が記録される。
【００４７】
同様に、第２の情報提供者情報記録手段７Ｅは、少なくとも、第２の情報提供者端末３Ｅを利用する第２の情報提供者の情報７Ｅａと、概要情報６ａに対応する詳細情報７Ｅｂと、詳細情報７Ｅｂが利用された場合の還元率の情報７Ｅｃと、保有するポイントの情報７Ｅｄを記録可能に構成されている。
【００４８】
ここで、「詳細情報７Ｅｂ」は、概要情報６ａを詳述したものであり、例えば、概要情報６ａが記事タイトルで、詳細情報７Ｅｂが記事内容といった具合である。
【００４９】
更に、第２の情報提供者の情報７Ｅａに紐付けて、詳細情報７Ｅｂと、還元率の情報７Ｅｃと、ポイントの情報７Ｅｄが記録される。また、詳細情報７Ｅｂと紐付けて、還元率の情報７Ｅｃが記録される。なお、複数の詳細情報７Ｅｂが記録される場合（即ち、詳細情報７Ｅｂに加えて、詳細情報７Ｅｂとは別の詳細情報も記録される場合）には、それぞれの詳細情報に対応した還元率の情報が記録される。
【００５０】
同様に、第２の情報提供者情報記録手段７Ｆは、少なくとも、第２の情報提供者端末３Ｆを利用する第２の情報提供者の情報７Ｆａと、概要情報６ａに対応する詳細情報７Ｆｂと、詳細情報７Ｆｂが利用された場合の還元率の情報７Ｆｃと、保有するポイントの情報７Ｆｄを記録可能に構成されている。
【００５１】
ここで、「詳細情報７Ｆｂ」は、概要情報６ａを詳述したものであり、例えば、概要情報６ａが記事タイトルで、詳細情報７Ｆｂが記事内容といった具合である。
【００５２】
更に、第２の情報提供者の情報７Ｆａに紐付けて、詳細情報７Ｆｂと、還元率の情報７Ｆｃと、ポイントの情報７Ｆｄが記録される。また、詳細情報７Ｆｂと紐付けて、還元率の情報７Ｆｃが記録される。なお、複数の詳細情報７Ｆｂが記録される場合（即ち、詳細情報７Ｆｂに加えて、詳細情報７Ｆｂとは別の詳細情報も記録される場合）には、それぞれの詳細情報に対応した還元率の情報が記録される。
【００５３】
また、サーバ４は、消費者が情報を求めた場合に、出力対象情報６ｂに基づいて、第２の情報提供者情報記録手段７に記録された詳細情報を出力する情報出力手段８を有する。
【００５４】
ところで、第２の情報提供者情報の変更を第２の情報提供者の判断のみで行えるとした場合には、変更後の情報の内容によっては第１の情報提供者が大きな不利益を被ることも考えられる。例えば、新規記録時には第１の情報提供者が好む内容として第１の情報提供者が選択するように仕向け、その後に悪意をもって虚偽の情報に変更する場合等が挙げられる。
そのため、第２の情報提供者情報の変更については、第２の情報提供者自身で行えるものの、変更内容を第１の情報提供者が承認した場合に限って、その変更が反映されるように構成しても良い。
なお、（記録された情報の変更ではなく）新規の記録の場合には、第１の情報提供者が選択しなければ情報が出力されることは無いため、承認の仕組み等は不要である。
【００５５】
更に、サーバ４は、情報出力手段８が情報を出力した場合に、第２の情報提供者にポイントを付与するポイント付与手段９を有する。
具体的には、例えば、詳細情報７Ｅｂが出力された場合には、第２の情報提供者情報記録手段７Ｅの保有するポイントの情報７Ｅｄに、還元率の情報７Ｅｃに応じたポイントが加算されることになる。
【００５６】
図２は、本発明の情報提供システムの使用方法の一例を示す概略図である。
なお、以下では、消費者は情報の収集を行っていることを前提として説明を行う。
【００５７】
［１．各種情報の記録］
本発明の情報提供システムの使用方法の一例では、消費者４０が情報を得るためには、各種情報がサーバ４に記録される必要がある。そのために、サーバ４への各種情報の記録について説明を行う。
【００５８】
先ず、第１の情報提供者２０が、概要情報６ａを、第１の情報提供者端末２を用いて第１の情報提供者情報記録手段６に記録する。
この記録については、図２中符号（１）で示すステップである。
【００５９】
次に、第２の情報提供者３０Ａは、自身を特定する情報（第２の情報提供者の情報７Ａａ）を、第２の情報提供者端末３Ａを用いて第２の情報提供者情報記録手段７Ａに記録する。
また、第２の情報提供者の情報７Ａａに紐付けて、詳細情報７Ａｂを、第２の情報提供者端末３Ａを用いて第２の情報提供者情報記録手段７Ａに記録する。
【００６０】
更に、第２の情報提供者の情報７Ａａに紐付けて、詳細情報７Ａｂが利用された場合の還元率の情報７Ａｃを、第２の情報提供者端末３Ａを用いて第２の情報提供者情報記録手段に記録する。
これらの記録は、図２中符号（２）で示すステップである。
【００６１】
なお、第２の情報提供者３０Ａが各種情報を記録すると、第１の情報提供者２０に「その旨」が送信される（図２中符号（３）で示すステップ）。
【００６２】
ここでは、第２の情報提供者３０Ａが、第２の情報提供者の情報７Ａａ、詳細情報７Ａｂ、還元率の情報７Ａｃを記録する場合の説明を行っているが、同様にして、第２の情報提供者３０Ｂ、第２の情報提供者３０Ｃ、第２の情報提供者３０Ｄ、第２の情報提供者３０Ｅ及び第２の情報提供者３０Ｆも、記録を行う。
なお、第２の情報提供者３０Ａ〜３０Ｆは、同タイミングで記録を行うということではなく、順次行うものである。
【００６３】
次に、上記（３）で示すステップで「その旨」が送信されていることから、第１の情報提供者２０は、サーバ４にアクセスして、記録された第２の情報提供者情報（Ａ〜Ｆ）を確認した上で、いずれかの第２の情報提供者情報を選択し（例えば、詳細情報の質を比較して第２の情報提供者情報を選択する、還元率を比較して第２の情報提供者情報を選択する、など）、第１の情報提供者端末２を用いて、出力対象情報６ｂを記録する（図２中符号（４）で示すステップ）。
【００６４】
上述したような各種情報の記録の後に、消費者４０に対して、各種情報の提供が可能となる。
【００６５】
なお、ここでは、第１の情報提供者２０が記録した概要情報６ａに関連する情報について、第２の情報提供者３０が各種情報の記録を行う場合のみを説明しているが、サーバ４に記録される情報は「第１の情報提供者２０が記録する概要情報６ａ」に関するもののみではなく、「第１の情報提供者２０が記録する概要情報６ａとは別の概要情報」や、「第１の情報提供者２０とは別の情報提供者が記録する概要情報」に関するものについても記録される。
即ち、本実施の形態では、消費者４０が、第１の情報提供者２０が記録した概要情報６ａに関連する情報を得る場合を例に挙げて説明を行うが（後述）、サーバ４は、「第１の情報提供者２０が記録する概要情報６ａとは別の概要情報」や、「第１の情報提供者２０とは別の情報提供者が記録する概要情報」に関連する情報も提供することができる。
【００６６】
［２．各種情報の提供］
第１の情報提供者２０が記録する概要情報６ａに関連して、各種情報の提供を希望する消費者４０は、消費者端末（図示せず）でインターネット５を介してサーバ４にアクセスを行う（図２中符号（５）で示すステップ）。
【００６７】
サーバ４にアクセスすると、消費者端末には、情報提供が可能な情報提供者の一覧が表示され、消費者４０は表示された一覧の中から「第１の情報提供者２０」を選択する。また、「第１の情報提供者２０」を選択すると、第１の情報提供者２０が記録した概要情報の一覧が表示され、消費者４０は表示された一覧の中から「概要情報６ａ」を選択する。
【００６８】
そして、消費者端末から「第１の情報提供者２０の概要情報６ａ」が選択されると、情報出力手段８が、第１の情報提供者情報記録手段６に記録された概要情報６ａを出力する（消費者端末に情報が表示される）。
【００６９】
併せて、情報出力手段８は、概要情報６ａに紐付けられた出力対象情報６ｂに基づいて、第２の情報提供者情報を出力する（消費者端末に情報が表示される）。具体的には、例えば、出力対象情報６ｂに出力対象として「詳細情報７Ｅｂ」が記録されている場合には、詳細情報７Ｅｂを出力する。
【００７０】
なお、情報出力手段８が情報を出力すると、第２の情報提供者に「その旨」が送信される（第２の情報提供者３０Ｅに送信される場合について、図２中符号（６）で示すステップ）。
【００７１】
［３．ポイントの付与］
情報出力手段８が情報を出力すると、ポイント付与手段９は、情報出力手段８が出力した情報の登録者にポイントを付与する。具体的には、例えば、情報出力手段８が詳細情報７Ｅｂを出力した場合には、還元率の情報７Ｅｃに応じたポイントを付与し、保有するポイントの情報７Ｅｄが更新されることになる。
【００７２】
［効果］
上記した本発明の情報提供システムでは、消費者４０は詳細情報７Ｅｂを把握することができる。
【００７３】
また、第２の情報提供者にポイントが付与されることから、第２の情報提供者情報を記録しようというインセンティブが高まり、第２の情報提供者情報の充実（数量の充実、品質の充実）が期待でき、結果として、高精度な情報の提供が実現することになる。
【００７４】
また、第２の情報提供者自身が詳細情報や還元率の情報を登録できること、第１の情報提供者２０が選択した第２の情報提供者情報に対してのみポイントが付与されること、から、第２の情報提供者情報の品質が高められることが期待でき、このことによっても、高精度な情報の提供が実現することになる。
【００７５】
［変形例１］
上記した本発明の情報提供システムの一例では、詳細情報７Ｅｂが出力される場合を例に挙げて説明を行っているが、消費者４０が詳細情報７Ｅｂを確認することができれば充分であるために、詳細情報７Ｅｂにアクセスできる識別情報（二次元バーコードやカラーコード等の識別子）を出力しても良い。
この場合、識別情報を用いて、消費者端末で詳細情報７Ｅｂが掲載されたウェブサイト等にアクセスして、詳細情報７Ｅｂを確認することになる。
【００７６】
なお、変形例１のように、識別情報を通じて詳細情報７Ｅｂにアクセスする場合は、アクセスしたウェブサイトには同一の情報が掲載されているであろうという消費者の期待を考慮して、第２の情報提供者情報記録手段７Ｅの詳細情報７Ｅｂが変更された場合であっても、変更前に出力した識別情報でアクセスするウェブサイトには変更前の詳細情報７Ｅｂが掲載されるようにしても良い。
【００７７】
［変形例２］
また、上記した本発明の情報提供システムの一例では、第１の情報提供者が「概要情報（第１の情報の一例）」を記録し、第２の情報提供者が「詳細情報（第２の情報の一例）」を記録する場合を例に挙げて説明を行っているが、第１の情報及び第２の情報はこれに限られるものではない。例えば、第１の情報と第２の情報とが、同一内容となるべき情報（具体的には、商品の品質に関する情報や、セカンドオピニオンの様な情報）であっても良い。
【符号の説明】
【００７８】
１    情報提供システム
２    第１の情報提供者端末
３    第２の情報提供者端末
４    サーバ
５    インターネット
６    第１の情報提供者情報記録手段
７    第２の情報提供者情報記録手段
８    情報出力手段
９    ポイント付与手段
２０    第１の情報提供者
３０    第２の情報提供者
４０    消費者
【図１】
2020177664.tif 000003
【図２】
2020177664.tif 000004